(57)【特許請求の範囲】
【請求項１】
一条分の苗載面ごとにリブで仕切った苗載台であって、上記一条分の苗載面の両端部に半割状のリブを設け、一方の半割状リブの上壁の上面側に係合受部を、他方の半割状リブの上壁の上面に係合突起を設けて、隣接した苗載面の対向する半割状リブ同士を連結する係合連結部を形成し、前記苗載面の両端部に設けた一方の半割状リブに、リブの分割面を覆うカバー部を設けると共に、上記カバー部に前記係合受部を形成し、隣接する苗載面の半割状リブに設けた係合突起を当該係合受部に係合させたときには係合連結部がカバー部の外方へ突出しないように構成されていることを特徴とする移植機の苗載台。
【発明の詳細な説明】
【０００１】
【発明の属する技術分野】
本発明は、マット苗を載置する苗載台を、一条分の苗載面ごとにリブで仕切った移植機の苗載台に係るものである。
【０００２】
【従来の技術】
一般に、乗用田植機等の移植機においては、走行機体の後部に連結した植付部にマット苗を載置する苗載台を設け、この苗載台上を縦送りされて苗載台の下端側に送り出された苗を、植付作動する植付杆が掻き取って複数条に移植している。
【０００３】
このような多条植の苗載台には、リブで仕切った一条分の苗載面を並列状に連結して、この仕切りの中にそれぞれマット苗を載置するものが知られている。
【０００４】
ところが、上記のようなの苗載台を構成する際に、従来はリブ上壁の裏面側に連結部を設けて、リベット等により一条分の苗載面を並列状に連結していたので、苗載台の裏面側からリブの奥にある連結部で苗載面を連結する連結作業が容易でないという問題があった。
【０００５】
【発明が解決しようとする課題】
本発明は上記のような問題点を解消すべく創作されたものであって、その目的とするところは、隣接する一条分の苗載面を、リベット等の別部材を用いることなく容易に連結でき、しかも連結部分を上方から確認しながら的確に連結作業を行うことができる移植機の苗載台を提供しようとするものである。
【０００６】
【課題を解決するための手段】
上記の課題を解決するため本発明が講じた技術的手段は、一条分の苗載面ごとにリブで仕切った苗載台であって、上記一条分の苗載面の両端部に半割状のリブを設け、一方の半割状リブの上壁の上面側に係合受部を、他方の半割状リブの上壁の上面に係合突起を設けて、隣接した苗載面の対向する半割状リブ同士を連結する係合連結部を形成し、前記苗載面の両端部に設けた一方の半割状リブに、リブの分割面を覆うカバー部を設けると共に、上記カバー部に前記係合受部を形成し、隣接する苗載面の半割状リブに設けた係合突起を当該係合受部に係合させたときには係合連結部がカバー部の外方へ突出しないように構成されていることを特徴とするものである。
【０００７】
【発明の実施の形態】
次に本発明の実施の形態を、図面に示された一実施例に基いて詳細に説明する。  まず、図１において、１は移植機として例示する乗用田植機の走行機体であって、前輪２および後輪３を備えた機体フレーム４の前部にボンネットで覆れたエンジン部５が搭載され、その後方に運転席６が配設されている。７はステアリングハンドルである。
【０００８】
上記走行機体１の後部にはリンク機構８を介して植付部９が昇降およびローリング自在に支持されている。１０は上記植付部９のドライブケースであって、このドライブケース１０から左右方向に延設された植付伝動軸のケース１１に、複数のプランタケース１２、１２…が後方に向けて所定間隔毎に取付固定されており、プランタケース１２の後部には、植付作動する植付杆１３を備えたロータリケース１４が装着されている。
【０００９】
上記プランタケース１２の上方には、往復横送りされる苗載台１５が前高後低状に架設されており、この苗載台１５に載置されたマット苗を、苗載台１５の底面に設けた縦送り装置１６が縦送りして、苗載台の下端側に送り出された苗を植付作動する植付杆１３、１３…が掻取って圃場に植付けるようになっている。１７は田面を滑走するフロートである。
【００１０】
上記苗載台１５は、図２で示すように、その苗載面が一条分の苗載面ごとに上方に突出するリブ１８、１８…で仕切られており、各リブ１８の対向間に形成された単位苗載面１９にマット苗を載置するようになっている。そして、並列状に配置した単位苗載面１９を、その両端に設けた半割状のリブで順次連結することにより多条植えの苗載台１５が構成されている。
【００１１】
すなわち、図３で示すように、単位苗載面１９の両端部に、リブ１８の側壁２０が苗の縦送り方向に立設されており、該側壁２０の上端には、リブ１８の上壁２１を半分の幅に分割した半割上壁２１aを形成することにより、単位苗載面１９の両端部にそれぞれ半割状のリブ２２が形成されている。そして一方の半割状リブ２２には、その上壁２１aの上面側に係合受部２３を設けると共に、他方の半割状リブ２２には、その上壁２１aの上面に上記係合受部２３に係合する係合突起２４を設けることにより、並列状に配置した単位苗載面１９の対向する半割状リブ２２同士を連結する係合連結部２５が形成されている。
【００１２】
また、一方の半割状リブ２２には、上壁２１の分割面を覆うカバー部２６が形成されている。そして該カバー部２６の下面側に、前記係合受部２３が形成されていて、並列状に配置した単位苗載面１９を対向する半割状リブ２２で連結したときには、その係合連結部２５がカバー部２６で覆われて外方に突出しないようになっている。
【００１３】
また各単位苗載面１９には、載置されたマット苗が浮き上がったりするのを防止する苗押え２７が設けてあるが、この苗押え２７を支持するホルダが合成樹脂の弾性を利用してリブ１８に取付け可能となっている。
【００１４】
すなわち図４〜図５において、２８は苗押え２７を支持する合成樹脂製の苗押えホルダであって、この苗押えホルダ２８の基端部には、リブ１８の上端を挟んで係止する二叉状の爪部２９が形成されており、またリブ１８の所定位置には、上記爪部２９の先端が係止する溝３０が形成されている。そして溝底の幅（Ｂ）＞爪の開口幅（Ａ）とすることにより、爪部２９を撓ませて溝３０に嵌込むのみで、合成樹脂の弾性により苗押えホルダ２８をリブ１８の溝３０に固定できるようになっている。Ａ´は爪部２９の内法巾、Ｂ´はリブ１８の上端巾である。
【００１５】
また図６〜図７は他の苗押えホルダ３１を示すものであって、この苗押えホルダ３１は、合成樹脂で形成した別体のクランプ３２でリブ１８の上端に固定するものである。すなわちクランプ３２には、その上端に操作体３３が、下端には係止突起３４が形成されており、苗押えホルダ３１の底板３５およびリブ１８の上壁２１にはクランプ３２を差込む取付け穴３６が形成されている。
【００１６】
上記取付け穴３６には、クランプ３２を差込むときに係止突起３４の通過を許容する切欠溝３７が一方向に形成されていて、上方から取付け穴３６に挿通したクランプ３２を、操作体３３によって回動させれば、操作体３３と係止突起３４との対向間で苗押えホルダ３１の底板３５とリブ１８の上壁２１とを挟込むようになっている。そして底板３５と上壁２１との厚さ（Ａ）＞操作体３３と係止突起３４との対向間隔（Ｂ）とすることにより、クランプ３２を回動させると、合成樹脂製で形成したクランプ３２の弾性により、苗押えホルダ３１を強固に固定できるようになっている。
【００１７】
本発明は上記のように構成されているから、移植作業を行うに当たり、苗載台１５に形成された一条分の単位苗載面１９にマット苗を載置すれば、機体の走行に伴って縦送りされたマット苗を植付作動する植付杆１３、１３…が掻取って多条に植付けることができる。
【００１８】
そして上記のような多条植えの苗載台１５を構成するに当たっては、一条分の苗載面となる単位苗載面１９を左右並列状に配置すれば、隣接した単位苗載面１９の一方の半割状リブ２２に形成された係合受部２３と、他方の半割状のリブ２２に形成された係合突起２４とが対向状となるので、隣接した単位苗載面１９を左右から押圧するのみで係合突起２４を係合受部２３に係合させて連結することができる。したがって所定の条数だけ単位苗載面１９を連結することにより、リベット等の別部材を用いることなく容易に多条植えの苗載台１５を構成することができる。
【００１９】
また、係合受部２３と係合突起２４とは、半割状リブ２２の上壁２１aの上面に形成されているので、単位苗載面１９を連結する際には、上方から連結部を確認しながら的確に連結作業を行うことができる。
【００２０】
そして、一方の半割状のリブ２２に設けたカバー部２６が、上壁２１の分割面を覆うので、カバー部２６の下面側に形成した係合受部２３に係合突起２４を係合させた連結部がカバー部２６の外方に突出することはない。このため半割状リブ２２の上壁上面に連結部を設けたものであっても、連結部が破損したり、あるいは苗補給時等に苗が引掛かったりするのを防止することができる。
【００２１】
【発明の効果】
これを要するに本発明は、一条分の苗載面ごとにリブで仕切った苗載台であって、上記一条分の苗載面の両端部に半割状のリブを設け、一方の半割状リブの上壁上面に係合受部を、他方の半割状リブの上壁上面に係合突起を設けて、隣接した苗載面の対向する半割状リブ同士を連結する係合連結部を形成し、前記苗載面の両端部に設けた一方の半割状リブに、リブの分割面を覆うカバー部を設けると共に、上記カバー部に前記係合受部を形成し、隣接する苗載面の半割状リブに設けた係合突起を当該係合受部に係合させたときには係合連結部がカバー部の外方へ突出しないように構成されていることを特徴とするので、一条分の苗載面に設けた半割状リブの係合突起を隣接する苗載面に設けた係合受部に連結するのみで、リベット等の別部材を用いることなく容易に苗載面を連結して苗載台を構成することができる。
【００２２】
しかも上記係合突起および係合受部が半割状リブの上壁上面に設けてあるので、連結部を確認しながら、隣接する苗載面の連結作業を的確に行うことができる。
【００２３】
そして、上記苗載面の連結部が一方の半割状リブに設けたカバー部の外方に突出しないため、連結部の破損や苗補給時等の苗の引掛かりを防ぐことができる。
【図面の簡単な説明】
【図１】移植機の側面図である。
【図２】苗載台の平面図である。
【図３】リブ部分の係合状態を示す斜視図である。
【図４】苗押えホルダの側面図ある。
【図５】（イ） 苗押えホルダに形成した爪部の正面図である。
（ロ） 撓ませて拡開した爪部の正面図である。
（ハ） リブの溝部分を示す断面図である。
（ニ） 図４のＸＸ矢視図である。
【図６】（イ） 他の苗押えホルダの側面図ある。
（ロ） クランプの正面図である。
（ハ） 同上側面図である。
【図７】（イ） 苗押えホルダを固定したクランプの平面図である。
（ロ） 図イのＹＹ矢視図である。
（ハ） リブの上面に苗押えホルダを載せた状態の平面図である。
（ニ） 図ハの正面図である。
【符号の説明】
１５        苗載台
１８        苗載台のリブ
１９        単位苗載面
２１        リブの上壁
２２        半割状リブ
２３        係合受部
２４        係合突起
２６        カバー部
【図１】
0004380949.tif 000002
【図２】
0004380949.tif 000003
【図３】
0004380949.tif 000004
【図４】
0004380949.tif 000005
【図５】
0004380949.tif 000006
【図６】
0004380949.tif 000007
【図７】
0004380949.tif 000008